(57)【特許請求の範囲】
【請求項１】
基部と、
前記基部に設けられ、第１支持面が形成された第１支持部と、
前記基部に設けられ、前記第１支持面に対向する第２支持面が形成された第２支持部と、
前記基部に回転可能に設けられた回転部と、
を備え、
前記回転部は、
前記第１支持面に対向する第１押え部と、
前記第２支持面に対向する第２押え部と、
回転阻止手段と、
を備え、
前記回転部が前記基部に対して一方向に回転すると前記第１押え部が前記第１支持面に接近し且つ前記第２押え部が前記第２支持面に接近し、
前記回転部が前記基部に対して前記一方向とは反対の方向に回転すると、前記第１押え部が前記第１支持面から離隔し且つ前記第２押え部が前記第２支持面から離隔し、
前記回転阻止手段は、前記回転部が前記一方向とは反対の方向に回転することを阻止するためのものである調速ロープ取り替え用工具。
【請求項２】
前記回転阻止手段は、
前記第１支持部又は前記第２支持部の一方に回転可能に設けられた阻止体と、
前記阻止体を前記第１支持部又は前記第２支持部の他方に固定する固定具と、
を備え、
前記阻止体は、前記固定具によって前記他方に固定されると前記回転部の一部に噛み合う噛み合い部を備えた請求項１に記載の調速ロープ取り替え用工具。
【請求項３】
前記第１支持部に設けられ、前記第１支持面より前記回転部側に突出する位置及び突出しない位置に配置可能な第１外れ止めと、
前記第２支持部に設けられ、前記第２支持面より前記回転部側に突出する位置及び突出しない位置に配置可能な第２外れ止めと、
を更に備えた請求項１又は請求項２に記載の調速ロープ取り替え用工具。
【請求項４】
前記第１外れ止めは、前記第１支持面より前記回転部側に突出する位置に配置されると一部が前記回転部に対向し、
前記第２外れ止めは、前記第２支持面より前記回転部側に突出する位置に配置されると一部が前記回転部に対向する請求項３に記載の調速ロープ取り替え用工具。
【請求項５】
基部と、
前記基部に設けられ、第１支持面が形成された第１支持部と、
前記基部に設けられ、前記第１支持面に対向する第２支持面が形成された第２支持部と、
前記基部に回転可能に設けられた回転部と、
を備え、
前記回転部は、
前記第１支持面に対向する第１押え部と、
前記第２支持面に対向する第２押え部と、
前記第１支持部に設けられ、前記第１支持面より前記回転部側に突出する位置及び突出しない位置に配置可能な第１外れ止めと、
前記第２支持部に設けられ、前記第２支持面より前記回転部側に突出する位置及び突出しない位置に配置可能な第２外れ止めと、
を備え、
前記回転部が前記基部に対して一方向に回転すると前記第１押え部が前記第１支持面に接近し且つ前記第２押え部が前記第２支持面に接近し、
前記回転部が前記基部に対して前記一方向とは反対の方向に回転すると、前記第１押え部が前記第１支持面から離隔し且つ前記第２押え部が前記第２支持面から離隔する調速ロープ取り替え用工具。
【請求項６】
前記第１外れ止めは、前記第１支持面より前記回転部側に突出する位置に配置されると一部が前記回転部に対向し、
前記第２外れ止めは、前記第２支持面より前記回転部側に突出する位置に配置されると一部が前記回転部に対向する請求項５に記載の調速ロープ取り替え用工具。
【発明の詳細な説明】
【技術分野】
【０００１】
この発明は、エレベータの調速ロープを取り替える際に使用される工具に関する。
【背景技術】
【０００２】
特許文献１に、エレベータ装置が記載されている。特許文献１に記載されたエレベータ装置は、調速機を備える。調速機は、かごの下降速度が基準速度を超えると、かごに設けられた非常止めを動作させる。
【先行技術文献】
【特許文献】
【０００３】
【特許文献１】特開２００２−６０１５７号公報
【発明の概要】
【発明が解決しようとする課題】
【０００４】
調速機は、かごに連結された調速ロープを備える。調速ロープは、損傷した場合或いは使用期間が耐用年数を超えた場合等に新規のものに取り替えられる。
【０００５】
調速ロープの取り替え作業では、かごから外した古い調速ロープの端部に新しい調速ロープの端部が接続される。そして、古い調速ロープを巻き取ることによって新しい調速ロープを調速機の調速綱車に巻き掛ける。従来では、古い調速ロープの端部に新しい調速ロープの端部を接続する際に、かごから外した古い調速ロープを人が掴み、古い調速ロープが接続作業中に動かないようにしていた。このため、接続作業に手間が掛かるという問題があった。
【０００６】
この発明は、上述のような課題を解決するためになされた。この発明の目的は、調速ロープの取り替え作業を容易に行うことができるようにするための調速ロープ取り替え用工具を提供することである。
【課題を解決するための手段】
【０００７】
この発明に係る調速ロープ取り替え用工具は、基部と、基部に設けられ、第１支持面が形成された第１支持部と、基部に設けられ、第１支持面に対向する第２支持面が形成された第２支持部と、基部に回転可能に設けられた回転部と、を備える。回転部は、第１支持面に対向する第１押え部と、第２支持面に対向する第２押え部と、回転阻止手段と、を備える。回転部が基部に対して一方向に回転すると第１押え部が第１支持面に接近し且つ第２押え部が第２支持面に接近する。回転部が基部に対して一方向とは反対の方向に回転すると、第１押え部が第１支持面から離隔し且つ第２押え部が第２支持面から離隔する。回転阻止手段は、回転部が一方向とは反対の方向に回転することを阻止するためのものである。
この発明に係る調速ロープ取り替え用工具は、基部と、基部に設けられ、第１支持面が形成された第１支持部と、基部に設けられ、第１支持面に対向する第２支持面が形成された第２支持部と、基部に回転可能に設けられた回転部と、を備える。回転部は、第１支持面に対向する第１押え部と、第２支持面に対向する第２押え部と、第１支持部に設けられ、第１支持面より回転部側に突出する位置及び突出しない位置に配置可能な第１外れ止めと、第２支持部に設けられ、第２支持面より回転部側に突出する位置及び突出しない位置に配置可能な第２外れ止めと、を備える。回転部が基部に対して一方向に回転すると第１押え部が第１支持面に接近し且つ第２押え部が第２支持面に接近する。回転部が基部に対して一方向とは反対の方向に回転すると、第１押え部が第１支持面から離隔し且つ第２押え部が第２支持面から離隔する。
【発明の効果】
【０００８】
この発明に係る調速ロープ取り替え用工具を用いることにより、調速ロープの取り替え作業を容易に行うことができるようになる。
【図面の簡単な説明】
【０００９】
【図１】この発明の実施の形態１における調速ロープ取り替え用工具の例を示す正面図である。
【図２】図１に示す調速ロープ取り替え用工具の平面図である。
【図３】図１に示す状態から回転部をＢ方向に回転させた状態を示す図である。
【図４】外れ止めが支持面より回転部側に突出する位置に配置された状態を示す図である。
【図５】エレベータ装置の一般的な構成を示す図である。
【図６】調速ロープの取り替え手順を示すフローチャートである。
【図７】ロープ取付部を昇降路のピットに移動させた状態を示す図である。
【図８】調速ロープ取り替え用工具を調速ロープに取り付けた状態を示す図である。
【図９】調速ロープ取り替え用工具を調速ロープに取り付ける手順を説明するための図である。
【図１０】調速ロープ取り替え用工具を調速ロープに取り付ける手順を説明するための図である。
【図１１】調速ロープ取り替え用工具を用いることなく図７に示す状態から調速ロープをロープ取付部から外した状態を示す図である。
【図１２】調速ロープの一端部を巻き取り機に固定し、調速ロープの他端部を新しい調速ロープの一端部に接続した状態を示す図である。
【図１３】新しい調速ロープに調速ロープ取り替え用工具を取り付けた状態を示す図である。
【図１４】この発明の実施の形態１における調速ロープ取り替え用工具の他の例を示す正面図である。
【図１５】図１４に示す調速ロープ取り替え用工具の平面図である。
【図１６】回転阻止部を備えた調速ロープ取り替え用工具が調速ロープに取り付けられた状態を示す図である。
【発明を実施するための形態】
【００１０】
添付の図面を参照し、本発明を説明する。重複する説明は、適宜簡略化或いは省略する。各図において、同一の符号は同一の部分又は相当する部分を示す。
【００１１】
実施の形態１．
図１は、この発明の実施の形態１における調速ロープ取り替え用工具１の例を示す正面図である。図２は、図１に示す調速ロープ取り替え用工具１の平面図である。図１及び図２に示す調速ロープ取り替え用工具１は、例えばエレベータの保守員が調速ロープ（図１及び図２では図示せず）の取り替え作業を行う際に用いられる。調速ロープ取り替え用工具１は、例えば基部２、支持部３、支持部４、回転部５、ツマミ６、外れ止め７及び外れ止め８を備える。
【００１２】
図１及び図２は、基部２が一定の厚みを有する板状の部材である例を示す。支持部３は、基部２に設けられる。支持部３は、基部２の一側の縁に沿うように配置される。支持部３は、基部２の表面２ａから突出する。支持部３に支持面３ａが形成される。支持面３ａは、例えば平坦な面である。図１及び図２は、支持面３ａが基部２の表面２ａに直交する例を示す。
【００１３】
支持部４は、基部２に設けられる。支持部４は、基部２の他側の縁に沿うように配置される。支持部４は、基部２の表面２ａから突出する。支持部４に支持面４ａが形成される。支持面４ａは、例えば平坦な面である。支持面４ａは、支持面３ａに対向する。図１及び図２は、支持面４ａが支持面３ａに平行である例を示す。支持面４ａは、例えば表面２ａに直交する。
【００１４】
回転部５は、基部２に回転可能に設けられる。回転部５は、例えば基部２の表面２ａ側に配置される。回転部５は、例えば支持部３及び支持部４の間に配置される。図１及び図２は、回転部５が軸９を中心に変位する例を示す。軸９は、基部２の表面２ａに直交するように配置される。
【００１５】
回転部５は、例えば押え部１０及び押え部１１を備える。押え部１０は、支持部３の支持面３ａに対向する。図１及び図２は、押え部１０が回転部５の一方の端部に形成された凹凸を含む例を示す。押え部１１は、支持部４の支持面４ａに対向する。図１及び図２は、押え部１１が回転部５の他方の端部に形成された凹凸を含む例を示す。
【００１６】
回転部５が基部２に対して図１に示すＡ方向に回転すると、押え部１０が支持面３ａに接近する。回転部５が基部２に対してＡ方向に回転すると、押え部１１が支持面４ａに接近する。図１に示す状態から回転部５をＡ方向に更に回転させると、押え部１０は支持面３ａに接触し、押え部１１は支持面４ａに接触する。また、回転部５が基部２に対して図１に示すＢ方向に回転すると、押え部１０が支持面３ａから離隔する。Ｂ方向は、Ａ方向とは反対の方向である。回転部５が基部２に対してＢ方向に回転すると、押え部１１が支持面４ａから離隔する。図３は、図１に示す状態から回転部５をＢ方向に回転させた状態を示す図である。
【００１７】
ツマミ６は、例えばエレベータの保守員が回転部５を回転させる際に持つ部分である。ツマミ６は、回転部５に設けられる。図１及び図２は、ツマミ６が回転部５に一体的に設けられた例を示す。ツマミ６は、例えば表面２ａと同じ方向を向く回転部５の表面５ａに設けられる。即ち、ツマミ６は、回転部５に対して基部２の反対側に配置される。図１及び図２は、ツマミ６が一定の厚みを有する板状の部材である例を示す。ツマミ６は、回転部５の表面５ａから突出する。ツマミ６は、例えば支持部３及び支持部４より基部２から離れた位置まで突出する。図１及び図２に示す例では、ツマミ６は、外れ止め７及び外れ止め８より基部２から離れた位置まで突出する。
【００１８】
外れ止め７は、支持部３に設けられる。図１及び図２は、外れ止め７が軸１２を介して支持部３の表面３ｂに回転可能に設けられる例を示す。表面３ｂは、基部２の表面２ａと同じ方向を向く面である。軸１２は、表面２ａに直交するように配置される。図１は、支持面３ａより回転部５側に突出しない位置に外れ止め７が配置された状態を示す。外れ止め７は、軸１２を中心に変位する。外れ止め７を図１に示すＣ方向に回転させると、支持面３ａより回転部５側に突出する位置に外れ止め７を配置することができる。図４は、支持面３ａより回転部５側に突出する位置に外れ止め７が配置された状態を示す図である。図４に示す状態では、外れ止め７の先端部が基部２の表面２ａに対向する。
【００１９】
外れ止め８は、支持部４に設けられる。図１及び図２は、外れ止め８が軸１３を介して支持部４の表面４ｂに回転可能に設けられる例を示す。表面４ｂは、基部２の表面２ａと同じ方向を向く面である。軸１３は、表面２ａに直交するように配置される。図１は、支持面４ａより回転部５側に突出しない位置に外れ止め８が配置された状態を示す。外れ止め８は、軸１３を中心に変位する。外れ止め８を図１に示すＤ方向に回転させると、支持面４ａより回転部５側に突出する位置に外れ止め８を配置することができる。図４は、支持面４ａより回転部５側に突出する位置に外れ止め８が配置された状態を示す。図４に示す状態では、外れ止め８の先端部が基部２の表面２ａに対向する。
【００２０】
以下に、図５から図１３も参照し、エレベータの保守員が調速ロープ取り替え用工具１を用いて作業を行う手順について説明する。図５は、エレベータ装置の一般的な構成を示す図である。先ず、図５を参照し、エレベータ装置の構成について説明する。
【００２１】
エレベータ装置は、かご１４及びつり合いおもり１５を備える。かご１４は、昇降路１６を上下に移動する。つり合いおもり１５は、昇降路１６を上下に移動する。かご１４及びつり合いおもり１５は、主ロープ１７によって昇降路１６に吊り下げられる。かご１４及びつり合いおもり１５を吊り下げるためのローピングの方式は、図５に示す例に限定されない。
【００２２】
主ロープ１７は、巻上機の駆動綱車１８に巻き掛けられる。駆動綱車１８が回転すると、駆動綱車１８が回転する方向に応じた方向に主ロープ１７が移動する。主ロープ１７が移動する方向に応じて、かご１４は上昇或いは下降する。つり合いおもり１５は、かご１４が移動する方向とは反対の方向に移動する。かご１４の移動は、一対のガイドレール１９によって案内される。かご１４は、ガイドレール１９の間に配置される。
【００２３】
かご１４に、非常止め２０が設けられる。非常止め２０は、かご１４の下降を強制的に止めるための装置である。非常止め２０は、例えば、強力な力でガイドレール１９を挟み込むことにより、かご１４の下降を停止させる。
【００２４】
調速機２１は、かご１４の下降速度が基準速度を超えると、非常止め２０を動作させてかご１４を停止させる。調速機２１は、例えばロープ取付部２２、調速ロープ２３、張り車２４、調速綱車２５、連結腕２６、おもり２７、速度検出器２８及び把持装置２９を備える。
【００２５】
ロープ取付部２２は、かご１４に設けられる。図５は、ロープ取付部２２が支持腕３０を介してかご１４に取り付けられる例を示す。ロープ取付部２２は、例えばボルトによって支持腕３０に固定される。このため、ボルトを緩めれば、ロープ取付部２２を支持腕３０から取り外すことができる。
【００２６】
調速ロープ２３は、一端部２３ａがロープ取付部２２に設けられる。調速ロープ２３の一端部２３ａは、例えばＵボルトによってロープ取付部２２に固定される。Ｕボルトを緩めれば、調速ロープ２３の一端部２３ａをロープ取付部２２から取り外すことができる。調速ロープ２３は、一端部２３ａから下方に延びる。調速ロープ２３は、昇降路１６のピットで張り車２４に巻き掛けられる。調速ロープ２３は、張り車２４に巻き掛けられた部分から上方に延びる。調速ロープ２３は、例えば機械室３１で調速綱車２５に巻き掛けられる。調速ロープ２３は、調速綱車２５に巻き掛けられた部分から下方に延びる。調速ロープ２３の他端部２３ｂは、例えばＵボルトによってロープ取付部２２に固定される。Ｕボルトを緩めれば、調速ロープ２３の他端部２３ｂをロープ取付部２２から取り外すことができる。図５に示す状態であれば、調速ロープ２３はかご１４に連動する。
【００２７】
連結腕２６は、調速ロープ２３と非常止め２０との間に連結される。おもり２７は、張り車２４から吊り下げられる。張り車２４は、おもり２７に対して回転可能に設けられる。おもり２７が張り車２４に吊り下げられることにより、調速ロープ２３に張力が付与される。
【００２８】
調速綱車２５は、調速ロープ２３の移動に連動して回転する。即ち、かご１４が上昇或いは下降すると、調速ロープ２３が移動する。調速ロープ２３が移動すると、張り車２４及び調速綱車２５が調速ロープ２３の移動方向に応じた方向に回転する。速度検出器２８は、調速綱車２５が回転する方向と速度とに基づいて、かご１４の下降速度が基準速度を超えたことを検出する。把持装置２９は、かご１４の下降速度が基準速度を超えたことが速度検出器２８によって検出されると、調速ロープ２３を把持する。調速ロープ２３が把持装置２９によって把持されると、調速ロープ２３の移動が停止される。これにより、連結腕２６を介して非常止め２０が動作され、かご１４の下降が強制的に停止される。
【００２９】
上述したように、調速ロープ２３は、損傷した場合或いは使用期間が耐用年数を超えた場合等に新規のものに取り替えられる。エレベータの保守員は、調速ロープ取り替え用工具１を用いて調速ロープ２３の取り替え作業を行う。図６は、調速ロープ２３の取り替え手順を示すフローチャートである。
【００３０】
エレベータの保守員は、先ず、連結腕２６を調速ロープ２３から外し、ロープ取付部２２をかご１４から外す（Ｓ１）。次に、保守員は、張り車２４或いはおもり２７を上方に移動させて、おもり２７の荷重が調速ロープ２３に作用しないようにする（Ｓ２）。保守員は、例えばおもり２７が吊り下げられた張り車２４を上方に移動させると、調速ロープ２３を引っ張ってロープ取付部２２を昇降路１６のピットに移動させる（Ｓ３）。図７は、ロープ取付部２２を昇降路１６のピットに移動させた状態を示す図である。
【００３１】
ロープ取付部２２を昇降路１６のピットに移動させると、保守員は、調速ロープ取り替え用工具１を調速ロープ２３に取り付ける（Ｓ４）。図６では、調速ロープ取り替え用工具１のことを単に「取り替え用工具」と表記している。また、取り替えの対象となる調速ロープ２３のことを「旧調速ロープ」と表記している。図８は、調速ロープ取り替え用工具１を調速ロープ２３に取り付けた状態を示す図である。図８に示すように、調速ロープ取り替え用工具１は、ロープ取付部２２より上方で調速ロープ２３に取り付けられる。
【００３２】
図９及び図１０は、調速ロープ取り替え用工具１を調速ロープ２３に取り付ける手順を説明するための図である。保守員は、例えば回転部５を図１に示すＢ方向に回転させることにより、回転部５の押え部１０と支持部３との間並びに押え部１１と支持部４との間に、調速ロープ２３の径より大きな幅の隙間を空ける。そして、調速ロープ２３の他端部２３ｂから上方に延びる部分を回転部５の押え部１０と支持部３との間に配置する。また、調速ロープ２３のうち調速綱車２５から昇降路１６のピットに延びる部分を回転部５の押え部１１と支持部４との間に配置する。図９は、押え部１０と支持部３との間並びに押え部１１と支持部４との間に調速ロープ２３を配置した状態を示す。
【００３３】
保守員は、調速ロープ２３を図９に示す状態に配置すると、回転部５を図１に示すＡ方向に回転させる。これにより、押え部１０が調速ロープ２３に接近し、調速ロープ２３が押え部１０と支持部３の支持面３ａとに挟まれる。同様に、押え部１１が調速ロープ２３に接近し、調速ロープ２３が押え部１１と支持部４の支持面４ａとに挟まれる。図１０は、押え部１０と支持部３とによって調速ロープ２３が挟まれ、且つ押え部１１と支持部４とによって調速ロープ２３が挟まれた状態を示す。
【００３４】
保守員は、回転部５と支持部３とによって調速ロープ２３を挟むと、外れ止め７を図１示すＣ方向に回転させる。即ち、外れ止め７を支持面３ａより回転部５側に突出する位置に配置する。これにより、外れ止め７と基部２の表面２ａとの間に調速ロープ２３を配置する。同様に、保守員は、回転部５と支持部４とによって調速ロープ２３を挟むと、外れ止め８を図１に示すＤ方向に回転させる。即ち、外れ止め８を支持面４ａより回転部５側に突出する位置に配置する。これにより、外れ止め８と基部２の表面２ａとの間に調速ロープ２３を配置する。図１０は、外れ止め７及び外れ止め８が回転部５側に突出する位置に配置された状態を示す。
【００３５】
外れ止め７を支持面３ａより回転部５側に突出する位置に配置した際に、外れ止め７の先端部が回転部５の表面５ａに対向しても良い。同様に、外れ止め８を支持面４ａより回転部５側に突出する位置に配置した際に、外れ止め８の先端部が回転部５の表面５ａに対向しても良い。このような構成を採用することにより、例えば調速ロープ２３のうち押え部１０と支持部３とによって挟まれた部分を外れ止め７と基部２との間に配置することができる。同様に、調速ロープ２３のうち押え部１１と支持部４とによって挟まれた部分を外れ止め８と基部２との間に配置することができる。
【００３６】
図１０の左側に示す調速ロープ２３は、調速ロープ２３の他端部２３ｂから上方に延びる部分である。この部分を図１０の矢印Ｅに示すように調速ロープ取り替え用工具１に対して上方に引っ張ると、調速ロープ２３が押え部１０によって支持部３の支持面３ａに更に押し付けられるように回転部５が回転する。また、図１０の右側に示す調速ロープ２３は、調速ロープ２３のうち調速綱車２５から昇降路１６のピットに延びる部分である。この部分を図１０の矢印Ｆに示すように調速ロープ取り替え用工具１に対して下方に引っ張ると、調速ロープ２３が押え部１１によって支持部４の支持面４ａに更に押し付けられるように回転部５が回転する。
【００３７】
図１１は、調速ロープ取り替え用工具１を用いることなく図７に示す状態から調速ロープ２３をロープ取付部２２から外した状態を示す図である。図１１では、調速ロープ２３から取り外されたロープ取付部２２は図示されていない。調速ロープ２３は、他端部２３ｂが張り車２４より上方で吊り下げられた状態になる。調速ロープ２３の一端部２３ａは、他端部２３ｂより下方に配置される。このため、図１１に示す状態では、調速ロープ２３は、他端部２３ｂが昇降路１６のピットから離れるように矢印Ｅ及び矢印Ｆに示す方向に移動する。
【００３８】
調速ロープ取り替え用工具１を用いることなく調速ロープ２３をロープ取付部２２から外すと、調速ロープ２３が動かないように保守員が手で調速ロープ２３を掴んでいなければならない。これに対し、図１０に示すように調速ロープ２３に調速ロープ取り替え用工具１が取り付けられていれば、ロープ取付部２２が調速ロープ２３から取り外された後も調速ロープ２３が勝手に動いてしまうことを防止できる。
【００３９】
保守員は、図８に示すように調速ロープ取り替え用工具１を調速ロープ２３に取り付けると、調速ロープ２３の一端部２３ａ及び他端部２３ｂをロープ取付部２２から外す（Ｓ５）。保守員は、調速ロープ２３をロープ取付部２２から外すと、調速ロープ２３の他端部２３ｂに新しい調速ロープ３２の端部を接続する（Ｓ６）。図６では、張り車２４及び調速綱車２５に新しく巻き掛ける調速ロープ３２のことを「新調速ロープ」と表記している。保守員は、調速ロープ２３をロープ取付部２２から外すと、調速ロープ２３を巻き取るための巻き取り機３３に調速ロープ２３の一端部２３ａを固定する。図１２は、調速ロープ２３の一端部２３ａを巻き取り機３３に固定し、調速ロープ２３の他端部２３ｂを新しい調速ロープ３２の一端部３２ａに接続した状態を示す図である。
【００４０】
保守員は、調速ロープ２３を図１２に示すように調速ロープ３２及び巻き取り機３３に接続すると、調速ロープ取り替え用工具１を調速ロープ２３から外す（Ｓ７）。調速ロープ取り替え用工具１を調速ロープ２３から外す場合は、図１０に示す状態から外れ止め７を図１に示すＣ方向とは反対の方向に回転させる。また、外れ止め８をＤ方向とは反対の方向に回転させる。その後、回転部５を図１に示すＢ方向に回転させる。
【００４１】
保守員は、調速ロープ取り替え用工具１を調速ロープ２３から外すと、調速ロープ２３を巻き取り機３３によって巻き取る。新しい調速ロープ３２は、一端部３２ａが古い調速ロープ２３の他端部２３ｂに接続されている。このため、調速ロープ２３を巻き取り機３３によって巻き取ることにより、調速ロープ３２を調速綱車２５に巻き掛けることができる（Ｓ８）。
【００４２】
保守員は、調速ロープ３２を調速綱車２５に巻き掛けると、調速ロープ取り替え用工具１を調速ロープ３２に取り付ける（Ｓ９）。図１３は、新しい調速ロープ３２に調速ロープ取り替え用工具１を取り付けた状態を示す図である。図１３に示すように、調速ロープ取り替え用工具１は、調速ロープ３２の一端部３２ａ及び他端部３２ｂが下方に位置するように調速ロープ３２に取り付けられる。また、調速ロープ取り替え用工具１は、調速ロープ３２の一端部３２ａが他端部３２ｂより下方に位置するように調速ロープ３２に取り付けられる。調速ロープ取り替え用工具１を調速ロープ３２に取り付けた状態は、図１０に示す状態と同様である。
【００４３】
保守員は、調速ロープ取り替え用工具１を調速ロープ３２に取り付けると、調速ロープ３２の一端部３２ａを調速ロープ２３から外す。そして、保守員は、調速ロープ３２の一端部３２ａ及び他端部３２ｂをロープ取付部２２に取り付ける（Ｓ１０）。調速ロープ３２をロープ取付部２２に取り付けた状態は、図８に示す状態と同様である。
【００４４】
保守員は、調速ロープ３２をロープ取付部２２に取り付けると、調速ロープ取り替え用工具１を調速ロープ３２から外す（Ｓ１１）。調速ロープ取り替え用工具１を調速ロープ３２から外した状態は、図７に示す状態と同様である。保守員は、調速ロープ取り替え用工具１を調速ロープ３２から外すと、調速ロープ３２を動かしてロープ取付部２２をかご１４の高さに移動させる（Ｓ１２）。そして、保守員は、かご１４の上に移動し、ロープ取付部２２をかご１４に取り付ける（Ｓ１３）。保守員は、ロープ取付部２２をかご１４に取り付けると、例えば張り車２４を下方に移動させておもり２７の荷重を調速ロープ３２に作用させる。
【００４５】
調速ロープ取り替え用工具１を用いることにより、古い調速ロープ２３を新しい調速ロープ３２に取り替えるための作業を容易に行うことができる。即ち、調速ロープ取り替え用工具１を用いることにより、調速ロープ２３をロープ取付部２２から外した際に調速ロープ２３が勝手に移動して調速綱車２５から外れてしまうことを防止できる。このため、調速ロープ３２を調速ロープ２３に接続する作業を容易に行うことができる。調速ロープ３２の一端部３２ａを調速ロープ２３の他端部２３ｂに接続することができれば、調速ロープ２３を巻き取ることによって調速ロープ３２を調速綱車２５に簡単に巻き掛けることができる。
【００４６】
調速ロープ取り替え用工具１は、回転部５の回転を阻止するための機能を備えても良い。この回転阻止機能は、例えば図１０に示す状態において、回転部５が図１に示すＢ方向に回転することを阻止できれば良い。例えば、調速ロープ取り替え用工具１は、ツマミ６を押し込むことによって回転部５の回転を阻止できる機構を備えても良い。
【００４７】
図１４は、この発明の実施の形態１における調速ロープ取り替え用工具１の他の例を示す正面図である。図１５は、図１４に示す調速ロープ取り替え用工具１の平面図である。図１４及び図１５は、調速ロープ取り替え用工具１が回転部５の回転を阻止するための回転阻止機能を備える例を示す。調速ロープ取り替え用工具１は、例えば基部２、支持部３、支持部４、回転部５、ツマミ６の他に、回転阻止部３４を備える。
【００４８】
回転阻止部３４は、調速ロープ２３を保持する力が解除される方向、即ち図１に示すＢ方向に回転部５が回転することを阻止する。図１４及び図１５に示す例では、回転阻止部３４は、阻止体３５及び固定具３６を備える。阻止体３５は、支持部４に設けられる。例えば、阻止体３５は、一端部が軸３７を介して支持部４の表面４ｂに回転可能に設けられる。軸３７は、表面２ａに直交するように配置される。
【００４９】
固定具３６は、阻止体３５を支持部３に固定する。図１４及び図１５は、固定具３６が阻止体３５の他端部に設けられた蝶ボルトである例を示す。固定具３６は、例えば支持部３の表面３ｂに形成されたねじ孔３８にねじ込まれる。固定具３６がねじ孔３８にねじ込まれることによって阻止体３５の他端部が支持部３に固定される。
【００５０】
阻止体３５は、例えば噛み合い部３５ａを備える。噛み合い部３５ａは、阻止体３５の他端部が固定具３６によって支持部３に固定されると回転部５の一部に噛み合う。例えば、回転部５に、外周面に歯５ｂが形成された円柱部材が備えられる。歯５ｂは、阻止体３５が固定具３６によって支持部３に固定されると噛み合い部３５ａに対向する。噛み合い部３５ａが歯５ｂに噛み合うことにより、回転部５の回転が阻止される。
【００５１】
図１６は、回転阻止部３４を備えた調速ロープ取り替え用工具１が調速ロープ２３に取り付けられた状態を示す図である。保守員は、押え部１０と支持部３との間並びに押え部１１と支持部４との間に調速ロープ２３を配置し、回転部５を図１に示すＡ方向に回転させる。これにより、調速ロープ２３が押え部１０と支持部３の支持面３ａとに挟まれる。同様に、調速ロープ２３が押え部１１と支持部４の支持面４ａとに挟まれる。
【００５２】
保守員は、回転部５と支持部３とによって調速ロープ２３を挟むと、阻止体３５を図１４に示すＧ方向に回転させる。そして、固定具３６をねじ孔３８にねじ込み、阻止体３５の他端部を支持部３に固定する。阻止体３５が支持部３に固定されると、噛み合い部３５ａが歯５ｂに噛み合う。これにより、回転部５の回転が阻止される。また、阻止体３５が支持部３に固定されると、阻止体３５と基部２との間に調速ロープ２３が配置される。図１４及び図１５に示す例では、回転阻止部３４が調速ロープ２３の外れ止めの機能を備える。このため、図１４及び図１５に示す調速ロープ取り替え用工具１に外れ止め７及び外れ止め８は備えられていない。
【００５３】
図１４及び図１５に示す例では、阻止体３５が支持部４に回転可能に設けられる。阻止体３５は、支持部３に回転可能に設けられても良い。かかる場合、例えば阻止体３５は、固定具３６によって支持部４に固定される。
【符号の説明】
【００５４】
１  調速ロープ取り替え用工具、  ２  基部、  ２ａ  表面、  ３  支持部、  ３ａ  支持面、  ３ｂ  表面、  ４  支持部、  ４ａ  支持面、  ４ｂ  表面、  ５  回転部、  ５ａ  表面、  ５ｂ  歯、  ６  ツマミ、  ７  外れ止め、  ８  外れ止め、  ９  軸、  １０  押え部、  １１  押え部、  １２  軸、  １３  軸、  １４  かご、  １５  つり合いおもり、  １６  昇降路、  １７  主ロープ、  １８  駆動綱車、  １９  ガイドレール、  ２０  非常止め、  ２１  調速機、  ２２  ロープ取付部、  ２３  調速ロープ、  ２３ａ  一端部、  ２３ｂ  他端部、  ２４  張り車、  ２５  調速綱車、  ２６  連結腕、  ２７  おもり、  ２８  速度検出器、  ２９  把持装置、  ３０  支持腕、  ３１  機械室、  ３２  調速ロープ、  ３３  巻き取り機、  ３４  回転阻止部、  ３５  阻止体、  ３５ａ  噛み合い部、  ３６  固定具、  ３７  軸、  ３８  ねじ孔
【図１】
0006288162.tif 000002
【図２】
0006288162.tif 000003
【図３】
0006288162.tif 000004
【図４】
0006288162.tif 000005
【図５】
0006288162.tif 000006
【図６】
0006288162.tif 000007
【図７】
0006288162.tif 000008
【図８】
0006288162.tif 000009
【図９】
0006288162.tif 000010
【図１０】
0006288162.tif 000011
【図１１】
0006288162.tif 000012
【図１２】
0006288162.tif 000013
【図１３】
0006288162.tif 000014
【図１４】
0006288162.tif 000015
【図１５】
0006288162.tif 000016
【図１６】
0006288162.tif 000017